(57)【要約】  装置１は、患者の口周囲部位に配置される支持体を備え、患者の口の内部部位と口の外側との間にバリア効果を及ぼすガス状流体流の発生部材１０を備え、発生部材１０は、端部の一方にアパーチャ１２を備える少なくとも１つの管により形成され、アパーチャ１２は、前記支持体１１の前で口周囲部位に配置され、発生部材１０は支持体１１に中央部で取り付けられる。
2020507435.tif 000002
【特許請求の範囲】
【請求項１】
患者の口周囲部位に配置される支持体（１１）を備える、歯科処置用の補助装置（１）であって、
前記装置が、前記患者の口の内部部位と前記口の外側との間にバリア効果を及ぼすガス状流体流の発生部材（１０）をさらに備え、前記ガス状流体流の発生部材（１０）が、端部の一方にアパーチャ（１２）を備える少なくとも１つの管により形成され、前記アパーチャ（１２）が、前記支持体（１１）の前で前記口周囲部位の外側に配置され、
前記発生部材（１０）が前記支持体（１１）に中央部で取り付けられることを特徴とする装置。
【請求項２】
前記アパーチャ（１２）が細長で中央部の幅が大きい、請求項１に記載の装置。
【請求項３】
前記管の別の端部が、空気又は他の中性ガスから選択されるガス状流体の吸引又は圧力送気ポンプに接続可能である、請求項１又は２に記載の装置。
【請求項４】
前記発生部材（１０）が２つの管を備え、各管が、端部の一方に前記アパーチャ（１２）を備え、他端部で、空気又は他の中性ガスから選択されるガス状流体の吸引又は圧力送気ポンプに接続可能な単一の管状セクション（１５）に接続される、請求項１又は２に記載の装置。
【請求項５】
前記支持体（１１）が頬伸張要素を備え、前記頬伸張要素が、前記歯科処置中の頬の分離のために前記患者の口の遠心部位において支柱となる部分を少なくとも備える、請求項１から４までのいずれか一項に記載の装置。
【請求項６】
前記支持体（１１）が頬伸張要素を備え、前記頬伸張要素が、前記歯科処置中の口唇開創のために前記患者の口の唇側部位において支柱となる部分を少なくとも備える、請求項１から４までのいずれか一項に記載の装置。
【請求項７】
前記ガス状流体流が層流である、請求項１に記載の装置。
【請求項８】
前記支持体（１１）が、唾液吸引カニューレ又は排出器用の少なくとも１つの支持体（１３）をさらに備える、請求項５又は６に記載の装置。
【請求項９】
前記頬伸張要素が、前記患者の口の遠心側方部位で係合する２つの同一の弧状部又は部品により形成される、請求項５に記載の装置。
【請求項１０】
前記頬伸張要素が、前記患者の口の唇側側方部位で係合する２つの同一の弧状部又は部品により形成される、請求項６に記載の装置。
【請求項１１】
前記吸引又は圧力送気ポンプが流量制御手段に関連付けられる、請求項３又は４に記載の装置。
【請求項１２】
前記吸引又は圧力送気ポンプが、抗病原体剤を提供する回路に関連付けられる、請求項３、４、又は１１に記載の装置。
【請求項１３】
前記歯科処置中に前記患者の口の口腔内部を照明するための照明ユニットをさらに備える、請求項１から１２までのいずれか一項に記載の装置。
【請求項１４】
前記照明ユニットがＬＥＤ型の照明要素又は光導波路を備える、請求項１３に記載の装置。
【発明の詳細な説明】
【技術分野】
【０００１】
本発明は、一般に、歯科装置の分野に関する。特に、本発明は、患者の頬開口部（ｂｕｃｃａｌ  ｏｒｉｆｉｃｅ）を塞ぐことがなく、それにより、医療従事者が歯科処置中に普通に作業することができ、患者の口を通してアクセス可能な空間又は組織を治療することのできる、歯科処置用の補助装置に関する。
【背景技術】
【０００２】
米国特許第７３００４０１号明細書は、口の開創（ｒｅｔｒａｃｔｉｏｎ）及び唾液の放出のために歯科処置中に患者の口内に配置される歯科用装置を開示している。該装置は、正面吸込部分、右頬開創部分、左頬開創部分、及び吸引部を備える。さらに、装置は、円筒形又は別の横断面形状を有する弾性管状材料の硬い一体部品から構成される。
【０００３】
米国特許第７７８５１０５号明細書は、歯科処置中に術野を乾燥して維持するための装置を開示している。この装置は、歯科処置中に患者の舌を固定するためのＵ字形部材を備える。加えて、装置は、頬の周りにアーチ状に配置されて延びる口唇開創器を備える。一部の実施例において、装置は唾液排出器も備える。
【０００４】
中国実用新案第２０１１１５６６０号明細書によれば、歯科処置中に患者の口を開くための側方開創器（ｌａｔｅｒａｌ  ｒｅｔｒａｃｔｏｒ）を有する装置が知られている。この装置は、唾液の濾過／排出のための２つの管状機構による唾液吸引機能を備え、処置中に患者の口の奥に位置決めされる。この吸引機能を用いると、室内にある空気又は吸入器による汚染を低減させることができる。
【０００５】
また、欧州特許第１１３１０１５号明細書は、歯科処置中に患者の口腔内部を照明し、それにより、照明の問題を避けることのできる口内照明歯科装置を開示している。照明装置は、患者の歯列に適合するように設計された閉塞装置を備え、歯科処置中に患者が顎を載せることができ、装置を口内に定着させるようになっている。さらに、歯科装置は、医療処置中に舌及び組織を患者の頬から隔離し保護することのできる舌及び頬用の開創器を有する。装置は、歯科処置中に患者の口腔内部にある流体を抜き出すための流体抜出導管を備えることもできる。
【０００６】
米国特許出願公開第３３９６４６８号明細書は、歯科処置のために口腔内で使用可能な装置を開示しており、該装置は流体を除去し、患者の口に容易且つ迅速に挿入することができる。
【０００７】
米国特許出願公開第４０５３９８４号明細書は、乾燥した広い術野を維持しながら、歯科作業のために患者の口を開くことのできる、取外し可能な歯科装置を開示している。
【０００８】
米国特許出願公開第４９６７３２０号明細書は、歯科治療用の空気放射照明及び遮蔽装置（ａｉｒ  ｅｍｉｔｔｉｎｇ  ｌｉｇｈｔ  ａｎｄ  ｓｈｉｅｌｄｉｎｇ  ａｐｐａｒａｔｕｓ）を開示している。装置は、調節可能に位置決めできる空気放射照明に接続された加圧空気源から構成される。空気放射照明は、歯科用椅子又は他の手術台の選択された位置にいる患者の顔及び口腔又は他の身体部分を略囲む空気膜（ａｉｒ  ｅｎｖｅｌｏｐｅ）を作るように形成される。選択された位置には、穴あけ、空気−水注入などの際に患者の口腔から押し出される蒸気、血液、唾液のはね、歯の小片（ｄｅｎｔａｌ  ｐａｒｔｉｃｌｅ）、又は他の異物を空気膜の内側境界により偏向させ、患者の口腔の下流へ移動させて、患者用の使い捨てドレープ上で集めることにより、それらが患者を手術している歯科チームのメンバーの顔や気道に到達することを防ぐように、患者を傾かせることのできる位置が含まれる。
【０００９】
また、米国特許出願公開第３５３７４４７号明細書、特開２００４−０３３４７４号公報、及び特開平１０−２８６９６号公報は、歯科医と患者との間に保護シールドを形成する歯科処置用の装置を開示している。
【００１０】
米国特許出願公開第５１２７４１１号明細書は、患者に見つかる感染性物質から医師を隔離するのに役立つ装置を開示している。この装置は、患者の口の周りに真空バリアを設けて歯科処置中に患者から出るエアロゾルなどを閉じ込めるためのコレクタを備える。コレクタは、真空に引くための真空源に接続された流れであり、真空源により引き込まれたガスがフィルタを通過する。コレクタはリング状で、口を囲み、医師が処置の箇所を見ることができるようになっており、それぞれの手術後に処分できる。
【００１１】
公知の装置のうちのいくつかは、複雑でかさばる構造を備えているため、製造及び／又は操作性が困難になる。さらに、現在、歯科処置中に患者の口周囲部位／領域に配置され、患者の口の内側と外側との間に発生部材（ｇｅｎｅｒａｔｉｎｇ  ｍｅｍｂｅｒ）によりバリア機構を発生させる支持体を備える歯科処置用の公知の装置はない。このような発生部材は、支持体に中央部で取り付けられ、端部の一方に開口を備える１つ又は複数の管によって形成され、ガス状流体流又はエア・カーテンを発生させることにより、歯科処置中に病原体の濾過を可能にしてより優れた保護をもたらす。
【先行技術文献】
【特許文献】
【００１２】
【特許文献１】米国特許第７３００４０１号明細書
【特許文献２】米国特許第７７８５１０５号明細書
【特許文献３】中国実用新案第２０１１１５６６０号明細書
【特許文献４】欧州特許第１１３１０１５号明細書
【特許文献５】米国特許出願公開第３３９６４６８号明細書
【特許文献６】米国特許出願公開第４０５３９８４号明細書
【特許文献７】米国特許出願公開第４９６７３２０号明細書
【特許文献８】米国特許出願公開第３５３７４４７号明細書
【特許文献９】特開２００４−０３３４７４号公報
【特許文献１０】特開平１０−２８６９６号公報
【特許文献１１】米国特許出願公開第５１２７４１１号明細書
【発明の概要】
【課題を解決するための手段】
【００１３】
第１の態様によれば、本発明は、患者の口周囲部位／領域、すなわち唇交連を含む口唇の赤唇（ｌｉｐ  ｖｅｒｍｉｌｉｏｎ）の全長周りの３ｃｍの大きさの空間に配置される支持体を備える、歯科処置用の補助装置を提供する。提案された補助装置は、頬開口部を塞ぐことがないため、医療従事者は、患者の口（口腔、鼻腔、喉頭、咽頭、食道、又は上顎洞など）を通してアクセス可能な空間又は組織を治療することにより普通に作業することができる。
【００１４】
提案された補助装置は、患者の口の内部部位と口の外側との間にバリア効果を及ぼすガス状流体流発生部材又はエア・カーテンを備えることを特徴とする。発生部材は、端部の一方に開口又はアパーチャを備える少なくとも１つの管により形成され、開口又はアパーチャは、支持体の前で口周囲部位の外側に配置／配設される。
【００１５】
支持体は中央部を備え、２つの湾曲した枝部がその中央部を通って上方へ延びる。発生部材は、支持体に中央部で任意の位置において取り付けられる。
【００１６】
したがって、簡単な構造を有する提案された補助装置により、しぶき、微小滴、滴、若しくは他の粒子、及び病原体（ウイルス、菌類、バクテリア、プリオンなど）が口腔内部から外部へ、且つ口腔外部から内部へ通過することを防ぎ、又は最小限にして、患者と医療従事者との直接の相互汚染、及び間接的な汚染（すなわち、患者又は医療従事者の感染が前の患者によって生じるおそれがあるような、歯科医院若しくは医療従事者の作業場又は道具（ｔｏｏｌｉｎｇ）などの環境汚染を通じた）を避ける。同様に、提案された補助装置により、医療従事者は、口腔全体にわたって遮られることなく普通に作業することができ、提案された補助装置を独立して、又はラバー・ダムと併せて使用することができる。
【００１７】
また、提案された補助装置により、有害な可能性のある歯科修復材（例えば、歯科用アマルガム）の除去によって生じる粒子が患者の口に残ることを防ぐ。これは、今まで、吸込フード、ラバー・ダム、及び専用マスクの組合せに基づく込み入った方法を使用して解決していた。
【００１８】
ガス状流は層流であることが好ましい。
【００１９】
アパーチャは、中央部の幅が大きい細長形状を有することが好ましい。
【００２０】
例示的な一実施例において、管の別の端部は、空気又は他の中性ガスから選択されるガス状流体の吸引又は圧力送気ポンプ（ａｓｐｉｒａｔｉｏｎ  ｏｒ  ｐｒｅｓｓｕｒｅ−ｂｌｏｗｉｎｇ  ｐｕｍｐ）に接続可能である。場合により、吸引又は圧力送気ポンプを、抗病原体剤（ａｎｔｉ−ｐａｔｈｏｇｅｎ  ａｇｅｎｔ）を提供する回路に関連付けることもできる。
【００２１】
例示的な一実施例において、発生部材は２つの管を備え、各管は、端部の一方にアパーチャを備え、他端部で、空気又は他の中性ガスから選択されるガス状流体の吸引又は圧力送気ポンプに接続可能な単一の管状セクションに接続される。本実施例によれば、場合により、吸引又は圧力送気ポンプを、抗病原体剤を提供する回路に関連付けることもできる。
【００２２】
例示的な一実施例において、支持体は、カニューレ又は唾液吸引排出器のための１つ又は複数の支持体をさらに備える。
【００２３】
例示的な一実施例において、支持体は頬伸張要素（ｂｕｃｃａｌ  ｅｘｐａｎｓｉｏｎ  ｅｌｅｍｅｎｔ）を備え、頬伸張要素は、歯科処置中の頬の分離（頬粘膜伸張）のために口の遠心部位において支柱（ｐｒｏｐ）となる部分を少なくとも備える。或いは、別の実施例において、支持体は頬伸張部材を備え、頬伸張部材は、歯科処置中の口唇開創のために口唇状の支柱となる部分を少なくとも備える。
【００２４】
口伸張要素は、患者の口の遠心側方部位又は唇側若しくは側方部位で係合する２つの同一の弧状部又は部分から形成することができる。
【００２５】
さらに、吸引又は圧力送気ポンプを流量制御手段に関連付けることができる。
【００２６】
さらに別の実施例において、装置は、歯科処置中に患者の口の口腔内部を照明するための照明ユニット、例えば発光ダイオード（ＬＥＤ：Ｌｉｇｈｔ  Ｅｍｉｔｔｉｎｇ  Ｄｉｏｄｅ）又は光ファイバなどの光導波路用の支持部分を備える又は有する。
【００２７】
提案された補助装置は、フリュッゲ微小滴（Ｆｌｕｇｇｅ  ｍｉｃｒｏ−ｄｒｏｐｌｅｔ）若しくは冷却スプレーにより生じる微小滴を含む直接伝染、又は歯科ボックス（ｄｅｎｔａｌ  ｂｏｘ）の表面、衣服、若しくは器具の汚染を通じた間接伝染による生物学的タイプの相互汚染を理由とする、患者と医療従事者との間の保護のために使用することができる。
【００２８】
同様に、補助装置は、樹脂、アマルガム、複合材、若しくはガッタパーチャの焼却（ｉｎｃｉｎｅｒａｔｉｏｎ）により生じるガスなどの歯科用粉末又は歯科用整復材の懸濁粒子を含む直接の接触又は中毒、或いは歯科ボックスの表面、衣類、若しくは器具の間接伝染による化学タイプの相互汚染を理由とする、患者と医療従事者との間の保護のために使用することもできる。
【００２９】
補助装置を使用して、材料、表面、組織、及び器具を含む、患者の口腔へ入れた歯科用器具が水浸しになる若しくは濡れることを防ぎ、又は、医療従事者を患者の口臭から保護することもできる。
【００３０】
本発明の上記及びその他の特徴並びに利点が、添付図面を参照する例示的な実施例の以下の詳細な説明からより明らかになろう。これらの実施例は例示的なものに過ぎず、限定的なものではない。
【図面の簡単な説明】
【００３１】
【図１】本発明の好ましい実施例による、提案された歯科処置用の補助装置を示す図である。
【図２】本発明の好ましい実施例による、提案された歯科処置用の補助装置を示す図である。
【図３】支持体が唾液吸引カニューレ又は排出器用の支持体を備える、歯科処置用の補助装置の代替例を示す図である。
【発明を実施するための形態】
【００３２】
以下の実施例を参照しながら、本発明についてより詳細に説明する。実施例は例示の目的で提示するものであり、本発明の範囲を限定するものと解釈すべきではない。
【００３３】
本発明は、図に参照符号１で示す歯科処置用の補助装置を提供する。この補助装置は、歯科処置中に補助装置が患者の口内に位置決めされると、ガス状流体流、例えば層流を発生させ、それにより、患者の口の内側と外側との間にバリア効果を及ぼすことによって、病原体又は他の粒子の濾過を可能する。
【００３４】
図１及び図２は、本発明により構成された、提案された補助装置１の第１の例示的な実施例を示す。見て取れるように、補助装置１は、ガス状流体流の発生部材１０と、口周囲部位に配置される、発生部材１０を保持するための支持体１１とを備える。この第１の実施例によれば、発生部材１０は支持体１１に中央部で取り付けられる。また、この例示的な実施例によれば、発生部材１０は、端部の一方にアパーチャ１２を備える管により形成され、アパーチャ１２は、支持体の前で口周囲部位の外側に配置される。アパーチャ１２は異なる寸法であってもよいが、図示したような、中央部の幅が大きい細長であることが好ましい。
【００３５】
支持体１１は、２つの同一又は弧状部若しくは部分１６Ａ、１６Ｂにより形成される頬伸張要素を備え、これらの部分１６Ａ、１６Ｂは、患者の口の遠心部位において支持体となって、歯科処置中に頬及び口唇の分離（口唇開創）を可能にする。また、補助装置１は、歯科用椅子（図示せず）で使用可能な１つ又は複数の吸引又は吹出空気取入口（ａｓｐｉｒａｔｉｏｎ  ｏｒ  ｂｌｏｗ−ｏｆｆ  ａｉｒ  ｉｎｔａｋｅ）、或いは、ガス状流体（図示せず）、例えば空気又は別の中性ガスの吸引又は圧力送気ポンプに接続可能な管状セクション１５を備える。
【００３６】
ガス状流体の吸引又は圧力送気ポンプを流量制御手段に関連付けることが好ましい。場合により、吸引又は圧力送気ポンプを、抗病原体剤を提供する回路（図示せず）に関連付けることもできる。
【００３７】
図３を参照すると、提案された補助装置１の第２の例示的な実施例が示される。この例示的な実施例の補助装置１は、前述したものと同じであるが、支持体１１が、唾液吸引カニューレ若しくは排出器を支持するための２つの支持体又は支柱１３を備えるという特殊性を有する。或いは、２つの支柱１３を備える代わりに、単一の支持体１３を備えてもよい。
【００３８】
別の例示的な実施例（この場合、図示せず）によれば、発生部材１０が２つの管を備え、各管が端部の一方にアパーチャ１２を備え、端部の他方により管状セクション１５に接続されて「Ｙ字」を形成する。
【００３９】
ガス状流体の吸引又は圧力送気ポンプを、流量制御手段、及び抗病原体薬を供給するための回路に関連付けることが好ましい。
【００４０】
提案された補助装置１のさらに他の代替実施例（図を簡単にすることにより図示せず）において、装置１は、歯科処置中に患者の口の口腔内部を照明するための照明ユニットをさらに備える。例示的な一実施例において、照明ユニットは、例えばＬＥＤ型の照明要素を備え、補助装置自体が備える電気エネルギー源（バッテリ若しくは発電機など）により、又は外部から供給を受ける。或いは、照明ユニットは、光ファイバなどの光導波路を備える。
【００４１】
提案された補助装置１は、異なる大きさであってもよく、異なる形状及び大きさの口に対応することができる。
【００４２】
本発明の範囲は、添付の特許請求の範囲において定義される。
【図１】
2020507435.tif 000003
【図２】
2020507435.tif 000004
【図３】
2020507435.tif 000005
【国際調査報告】
2020507435.tif 000006
2020507435.tif 000007
2020507435.tif 000008